(57)【要約】      （修正有）【課題】配膳し易くかつ見る方向によらず料理を視覚的に演出することができる食器を提供する。【解決手段】周壁部１６が収容部１２の上縁部１２Ａに沿って笠状に形成されると共に、周壁部の下端部１６Ａが高台部１４の下端部１４Ａよりも上方側で終端している。このため、食器１０が食卓上に載置された状態であっても、食卓の上面と周壁部の下端部１６Ａとの間に隙間が形成される。隙間に指先を入れて周壁部１６を掴むことができ、また、周囲から見ると、収容部１２及び周壁部１６が食卓の上面から浮いているように見える。【選択図】図１
0003197234.tif 000002
【実用新案登録請求の範囲】
【請求項１】
食物が盛り付けられる収容部と、
前記収容部の底部から当該収容部の下方側に突出して設けられた高台部と、
前記収容部の上縁部に沿って笠状に形成されると共に、下端部が前記高台部の下端部よりも上方側で終端する周壁部と、
を有する食器。
【請求項２】
前記収容部は、前記高台部側に凹となる球面状とされると共に、
前記周壁部は、前記高台部と反対側に突出する環状面状とされている、
請求項１に記載の食器。
【請求項３】
平面視で、前記収容部の占める面積の割合が、全体の面積に対して２割よりも大きく３割よりも小さくなるように設定されている、
請求項１又は請求項２に記載の食器。
【請求項４】
平面視で、前記収容部の占める面積の割合が、全体の面積に対して３割よりも大きく４割よりも小さくなるように設定されている、
請求項１又は請求項２に記載の食器。
【請求項５】
前記周壁部の下端部における複数箇所に前記収容部側に凸となる凹部が形成されている、
請求項１〜請求項４のいずれか１項に記載の食器
【請求項６】
前記周壁部には、平面視で、当該周壁部を横断する段差部が当該周壁部の下端部に沿う方向に等間隔で形成されている、
請求項１〜請求項５のいずれか１項に記載の食器
【請求項７】
前記段差部は、平面視で、前記上縁部から前記凹部の頂点に向かう円弧状の曲線に沿って形成されている、
請求項５を引用する請求項６に記載の食器。
【請求項８】
前記周壁部は、当該周壁部の曲率半径が前記収容部の曲率半径よりも小さくなるように形成されている、
請求項２〜請求項７のいずれか１項に記載の食器。
【請求項９】
前記周壁部は、当該周壁部の曲率半径が前記収容部の曲率半径よりも大きくなるように形成されている、
請求項２〜請求項７のいずれか１項に記載の食器。
【考案の詳細な説明】
【技術分野】
【０００１】
本考案は、食器に関する。
【背景技術】
【０００２】
下記特許文献１には、底部を傾斜させた飲食器に関する考案が開示されている。この底部を傾斜させた飲食器では、飲食器の糸尻が傾斜して形成されており、この糸尻と一体に設けられた器部の底部全体が傾斜している。このため、配膳するときに器部をつかみ易くなっている。また、使用者に対して底部が起き上がった状態となり、器部に盛られた料理を視覚的に演出することができる。
【先行技術文献】
【特許文献】
【０００３】
【特許文献１】実開平６−５８７７０号
【考案の概要】
【考案が解決しようとする課題】
【０００４】
しかしながら、上記特許文献１に開示された底部を傾斜させた飲食器では、底部が起き上がった状態となるのは、底部を正面から見る使用者に対してのみであり、底部を正面以外の方向から見る使用者に対しては起き上がった状態とはなっていない。このため、底部を正面から見る使用者に対しては、器部に盛られた料理を視覚的に演出することができるものの、底部を正面以外の方向から見る使用者に対しては、料理を視覚的に演出することができない。
【０００５】
本考案は、上記事実を考慮し、配膳し易くかつ見る方向によらず料理を視覚的に演出することができる食器を得ることが目的である。
【課題を解決するための手段】
【０００６】
上記課題を解決するため、請求項１に記載の考案に係る食器は、食物が盛り付けられる収容部と、前記収容部の底部から当該収容部の下方側に突出して設けられた高台部と、前記収容部の上縁部に沿って笠状に形成されると共に、下端部が前記高台部の下端部よりも上方側で終端する周壁部と、を有している。
【０００７】
請求項１に記載の考案に係る食器では、収容部に食物が盛り付けられると共に、配膳時には、当該収容部の底部から当該収容部の下方側に突出して設けられた高台部が食卓に載置された状態となっている。
【０００８】
ここで、本考案では、周壁部が収容部の上縁部に沿って笠状に形成されると共に、当該周壁部の下端部が高台部の下端部よりも上方側で終端している。このため、食器が食卓上に載置された状態であっても、食卓の上面と周壁部の下端部との間に隙間が形成される。その結果、食卓の上面と周壁部の下端部との間の隙間に指先を入れて当該周壁部を掴むことができる。また、周囲から見ると、収容部及び周壁部が食卓の上面から浮いているように見える。
【０００９】
請求項２に記載の考案に係る食器は、請求項１に記載の食器において、前記収容部は、前記高台部側に凹となる球面状とされると共に、前記周壁部は、前記高台部と反対側に突出する環状面状とされている。
【００１０】
請求項２に記載の考案に係る食器では、収容部が高台部側に凹となる球面状とされると共に、周壁部が環状面状とされているで、どの方向から見ても一様な外観となる。また、周壁部が高台部と反対側に突出しているので、当該周壁部を掴みやすくなっている。
【００１１】
請求項３に記載の考案に係る食器は、請求項１又は請求項２に記載の食器において、平面視で、前記収容部の占める面積の割合が、全体の面積に対して２割よりも大きく３割よりも小さくなるように設定されている。
【００１２】
請求項３に記載の考案に係る食器では、平面視で、収容部の占める面積の割合が、食器全体の面積に対して２割よりも大きく３割よりも小さくなるように設定されている。このため、平面視で、食器全体に対して収容部が実際よりも小さく見え、収容部に盛り付けられた食物の高級感を演出することができる。
【００１３】
請求項４に記載の考案に係る食器は、請求項１又は請求項２に記載の食器において、平面視で、前記収容部の占める面積の割合が、全体の面積に対して３割よりも大きく４割よりも小さくなるように設定されている。
【００１４】
請求項４に記載の考案に係る食器では、平面視で、収容部の占める面積の割合が、食器全体の面積に対して３割よりも大きく４割よりも小さくなるように設定されている。このため、平面視で、食器全体に対して収容部が実際よりも大きく見え、収容部に盛り付けられた食物のボリュームが実際よりも多く見えるように演出することができる。
【００１５】
請求項５に記載の考案に係る食器は、請求項１〜請求項４のいずれか１項に記載の食器において、前記周壁部の下端部における複数箇所に前記収容部側に凸となる凹部が形成されている。
【００１６】
請求項５に記載の考案に係る食器では、周壁部の外周部における複数箇所に収容部側に凸となる凹部が形成されており、当該周壁部がより掴みやすくなっている。
【００１７】
請求項６に記載の考案に係る食器は、請求項１〜請求項５のいずれか１項に記載の食器において、前記周壁部には、平面視で、当該周壁部を横断する段差部が当該周壁部の下端部に沿って等間隔で形成されている。
【００１８】
請求項６に記載の考案に係る食器では、周壁部に、平面視で、周壁部を横断する段差部が当該周壁部の下端部に沿って等間隔で形成されており、当該周壁部の意匠性を高めることができる。
【００１９】
請求項７に記載の考案に係る食器は、請求項５を引用する請求項６に記載の食器において、前記段差部は、平面視で、前記上縁部から前記凹部の頂点に向かう円弧状の曲線に沿って形成されている。
【００２０】
請求項７に記載の考案に係る食器では、段差部が平面視で、収容部の上縁部から周壁部に形成された凹部の頂点に向かう円弧状の曲線に沿って形成されている。このため、平面視で、周壁部が段差部によって花弁状に区画され、食器全体では花を模った外観となる。
【００２１】
請求項８に記載の考案に係る食器は、請求項２〜請求項７のいずれか１項に記載の食器において、前記周壁部は、当該周壁部の曲率半径が前記収容部の曲率半径よりも小さくなるように形成されている。
【００２２】
請求項８に記載の考案に係る食器では、周壁部は、当該周壁部の曲率半径が収容部の曲率半径よりも小さくなるように形成されているので、食卓の上面に対する食器の立体感を演出することができる。
【００２３】
請求項９に記載の考案に係る食器は、請求項２〜請求項７のいずれか１項に記載の食器において、前記周壁部は、当該周壁部の曲率半径が前記収容部の曲率半径よりも大きくなるように形成されている。
【００２４】
請求項９に記載の考案に係る食器では、周壁部は、当該周壁部の曲率半径が収容部の曲率半径よりも大きくなるように形成されているので、食卓の上面に対する食器の一体感を演出することができる。
【考案の効果】
【００２５】
本考案は上記構成としたので、配膳し易くかつ見る方向によらず料理を視覚的に演出することができるという優れた効果が得られる。
【図面の簡単な説明】
【００２６】
【図１】本考案の第１実施形態に係り、（Ａ）は食器を斜め上方から見た斜視図であり、（Ｂ）は食器を斜め下方から見た斜視図である。
【図２】本考案の第１実施形態に係り、（Ａ）は食器を側方から見た側面図であり、（Ｂ）は食器を上方から見た平面図である。
【図３】本考案の第１実施形態に係る食器を下方から見た底面図である。
【図４】本考案の第２実施形態に係り、（Ａ）は食器を斜め上方から見た斜視図であり、（Ｂ）は食器を斜め下方から見た斜視図である。
【図５】本考案の第２実施形態に係り、（Ａ）は食器を側方から見た側面図であり、（Ｂ）は食器を上方から見た平面図である。
【図６】本考案の第２実施形態に係る食器を下方から見た底面図である。
【図７】本考案の第３実施形態に係り、（Ａ）は食器を斜め上方から見た斜視図であり、（Ｂ）は食器を斜め下方から見た斜視図である。
【図８】本考案の第３実施形態に係り、（Ａ）は食器を側方から見た側面図であり、（Ｂ）は食器を上方から見た平面図である。
【図９】本考案の第３実施形態に係る食器を下方から見た底面図である。
【考案を実施するための形態】
【００２７】
＜第１実施形態＞
図１〜図３を用いて、本考案の第１実施形態に係る食器１０について説明する。
【００２８】
食器１０は、図１（Ａ）及び図１（Ｂ）に示されるように、収容部１２と、当該収容部１２の底部に設けられた高台部１４と、当該収容部１２の上縁部１２Ａに設けられた周壁部１６とを含んで、樹脂材で構成されている。
【００２９】
収容部１２は、その底部側（高台部１４側）に凹となる球面状とされており、より詳しくは、当該収容部１２は、その深さ寸法よりもその上縁部１２Ａの半径寸法の方が長くなるように形成されている。これにより、収容部１２に、食物を盛り付けることが可能となっている。なお、ここでいう「盛り付ける」とは、固形の食物の載置や汁物を注ぐことを意味している。
【００３０】
一方、高台部１４は、図３にも示されるように、収容部１２の底部から当該収容部１２の下方側に突出された円筒状を成しており、食器１０が食卓に載置されるときには、当該高台部１４によって食器１０全体が支持されるようになっている。なお、この高台部１４の複数箇所に切欠部を設けることで、食器１０の洗浄時に高台部１４の内側に洗浄水が滞留することを抑制するようにしてもよい。
【００３１】
ここで、本実施形態では、周壁部１６の構成に特徴がある。以下、図１（Ａ）に戻り、周壁部１６の構成について詳細に説明する。この周壁部１６は、収容部１２の上縁部１２Ａに沿って笠状に形成されている。そして、図２（Ａ）にも示されるように、周壁部１６の下端部１６Ａは、高台部１４の下端部１４Ａよりも上方側で終端している。
【００３２】
また、図２（Ｂ）に示されるように、周壁部１６は、高台部１４と反対側に突出する環状面状とされている。より詳しくは、図２（Ａ）に示されるように、周壁部１６の縦断面形状は、上縁部１２Ａの径方向一方側を例にとると、当該径方向の寸法の方が食器１０の高さ方向の寸法よりも長くなるように設定された円弧状となっている。なお、周壁部１６は、当該周壁部１６の曲率半径が収容部１２の曲率半径よりも大きくなるように形成されている。
【００３３】
そして、図２（Ｂ）に示されるように、食器１０を平面視で見ると、収容部１２の直径は、食器１０全体（周壁部１６の下端部１６Ａ）の直径に対して半分程度の長さになるように設定されている。また、平面視で食器１０全体の面積に対する収容部１２の占める面積の割合が、３割程度、より具体的には、２割よりも大きく３割よりも小さくなるように、収容部１２及び周壁部１６の形状が設定されている。
【００３４】
＜本実施形態の作用及び効果＞
次に、本実施形態の作用並びに効果を説明する。
【００３５】
本実施形態では、収容部１２に食物が盛り付けられると共に、配膳時には、当該収容部１２の底部から当該収容部１２の下方側に突出して設けられた高台部１４が食卓に載置された状態となっている。
【００３６】
ここで、本実施形態では、周壁部１６が収容部１２の上縁部１２Ａに沿って笠状に形成されると共に、当該周壁部１６の下端部１６Ａが高台部１４の下端部１４Ａよりも上方側で終端している。このため、食器１０が食卓上に載置された状態であっても、食卓の上面と周壁部１６の下端部１６Ａとの間に隙間が形成される。その結果、食卓の上面と周壁部１６の下端部１６Ａとの間の隙間に指先を入れて当該周壁部１６を掴むことができる。また、周囲から見ると、収容部１２及び周壁部１６が食卓の上面から浮いているように見える。
【００３７】
また、本実施形態では、収容部１２が高台部１４側に凹となる球面状とされると共に、周壁部１６が環状面状とされているで、どの方向から見ても一様な外観となる。また、周壁部１６が高台部１４と反対側に突出しているので、当該周壁部１６を掴みやすくなっている。
【００３８】
さらに、本実施形態では、平面視で、収容部１２の占める面積の割合が、食器１０全体の面積に対して２割よりも大きく３割よりも小さくなるように設定されている。このため、平面視で、食器１０全体に対して収容部１２が実際よりも小さく見え、収容部１２に盛り付けられた食物の高級感を演出することができる。
【００３９】
加えて、本実施形態では、周壁部１６が当該周壁部１６の曲率半径が収容部１２の曲率半径よりも大きくなるように形成されているので、食卓の上面に対する食器１０の一体感を演出することができる。従って、本実施形態に係る食器１０は、配膳し易くかつ見る方向によらず料理を視覚的に演出することができる。
【００４０】
＜第２実施形態＞
次に、図４〜図６を用いて、本発明の第２実施形態に係る食器３０について説明する。なお、上述した第１実施形態と同一構成部分については、同一の番号を付してその説明を省略する。また、図４（Ａ）、図４（Ｂ）及び図６に示されるように、食器３０は、食器１０と収容部１２及び高台部１４の構成は同一であり、周壁部３２の構成のみが異なっている。
【００４１】
具体的に説明すると、食器３０の周壁部３２には、図５（Ｂ）に示されるように、凹部３４及び段差部３６が形成されている。凹部３４は、周壁部３２の下端部３２Ａにおける複数箇所、より詳しくは、当該下端部３２Ａを３等分する３箇所に設けられると共に、収容部１２側に凸となる鈍角状に形成されている。なお、凹部３４は、収容部１２側に凸となる円弧状に形成されていてもよい。
【００４２】
一方、段差部３６は、平面視で周壁部３２の表面に、収容部１２の上縁部１２Ａから凹部の頂点に向かう円弧状の曲線に沿って形成されており、当該段差部３６によって周壁部３２が区画されている。つまり、見方を変えれば、段差部３６は、平面視で、周壁部３２を横断すると共に、周壁部３２の下端部３２Ａに沿って等間隔で形成されている。なお、図６に示されるように、段差部３６は、周壁部３２の裏面にも形成されている。また、図５（Ａ）に示されるように、本実施形態においても、周壁部３２の下端部３２Ａは、高台部１４の下端部１４Ａよりも上方側で終端している。
【００４３】
＜本実施形態の作用及び効果＞
次に、本実施形態の作用並びに効果を説明する。
【００４４】
図５（Ａ）に示されるように、本実施形態でも食卓の上面と周壁部３２の下端部３２Ａとの間に隙間が形成される。このため、本実施形態でも周壁部１６と周壁部３２の構成の違いによる作用並びに効果を除き、上述した第１実施形態と同様の作用並びに効果を奏する。
【００４５】
また、本実施形態では、周壁部３２の下端部３２Ａにおける複数箇所に収容部１２側に凸となる凹部３４が形成されており、当該周壁部３２がより掴みやすくなっている。
【００４６】
さらに、本実施形態では、周壁部３２に、平面視で、周壁部３２を横断する段差部３６が当該周壁部３２の下端部３２Ａに沿って等間隔で形成されており、当該周壁部３２の意匠性を高めることができる。
【００４７】
加えて、本実施形態では、段差部３６が平面視で、収容部１２の上縁部１２Ａから凹部３４の頂点に向かう円弧状の曲線に沿って段差部３６が形成されている。このため、平面視で、周壁部３２が段差部３６によって花弁状に区画され、食器３０全体では花を模った外観となる。
【００４８】
＜第３実施形態＞
次に、図７〜図９を用いて、本発明の第２実施形態に係る食器５０について説明する。なお、上述した第１実施形態と同一構成部分については、同一の番号を付してその説明を省略する。図７（Ａ）、図７（Ｂ）及び図９に示されるように、食器５０は、食器１０と収容部１２及び高台部１４の構成は同一であり、周壁部５２の構成のみが異なっている。
【００４９】
具体的に説明すると、食器５０の周壁部５２は、その下端部５２Ａの直径が食器１０の周壁部１６の下端部１６Ａの直径よりも短い長さに設定されている。また、図８（Ｂ）に示されるように、食器５０を平面視で見ると、収容部１２の直径は、食器５０全体（周壁部５２の下端部５２Ａ）の直径に対して６割程度の長さになるように設定されている。また、平面視で食器１０全体の面積に対する収容部１２の占める面積の割合が、４割程度、より具体的には、３割よりも大きく４割よりも小さくなるように、収容部１２及び周壁部１６の形状が設定されている。
【００５０】
さらに、図８（Ａ）に示されるように、周壁部５２の縦断面形状は、上縁部１２Ａの径方向一方側を例にとると、当該径方向の寸法と食器５０の高さ方向の寸法とが同程度の長さに設定された円弧状となっている。なお、周壁部５２は、当該周壁部５２の曲率半径が収容部１２の曲率半径よりも小さくなるように形成されている。また、本実施形態においても、周壁部５２の下端部５２Ａは、高台部１４の下端部１４Ａよりも上方側で終端している。
【００５１】
＜本実施形態の作用及び効果＞
次に、本実施形態の作用並びに効果を説明する。
【００５２】
図８（Ａ）に示されるように、本実施形態でも食卓の上面と周壁部５２の下端部５２Ａとの間に隙間が形成される。このため、本実施形態でも周壁部１６と周壁部５２の構成の違いによる作用並びに効果を除き、上述した第１実施形態と同様の作用並びに効果を奏する。
【００５３】
また、本実施形態では、平面視で、収容部１２の占める面積の割合が、食器５０全体の面積に対して３割よりも大きく４割よりも小さくなるように設定されている。このため、平面視で、食器１０全体に対して収容部１２が実際よりも大きく見え、収容部１２に盛り付けられた食物のボリュームが実際よりも多く見えるように演出することができる。
【００５４】
さらに、本実施形態では、周壁部５２は、当該周壁部５２の曲率半径が収容部１２の曲率半径よりも小さくなるように形成されているので、食卓の上面に対する食器５０の立体感を演出することができる。
【００５５】
＜上記実施形態の補足説明＞
（１）  上述した実施形態では、周壁部１６、３２、５２が環状面状とされていたが、平面視で多角形状に形成されていてもよい。
【００５６】
（２）  また、上述した第１実施形態では、周壁部１６は、当該周壁部１６の曲率半径が収容部１２の曲率半径よりも大きくなるように形成されていたが、周壁部１６の曲率半径が収容部１２の曲率半径よりも小さくなるように形成してもよい。なお、これは第３実施形態についても同様である。
【符号の説明】
【００５７】
１０    食器
１２    収容部
１２Ａ  上縁部
１４    高台部
１４Ａ  下端部
１６    周壁部
１６Ａ  下端部
３０    食器
３２    周壁部
３２Ａ  下端部
３４    凹部
３６    段差部
５０    食器
５２    周壁部
５２Ａ  下端部
【図１】
0003197234.tif 000003
【図２】
0003197234.tif 000004
【図３】
0003197234.tif 000005
【図４】
0003197234.tif 000006
【図５】
0003197234.tif 000007
【図６】
0003197234.tif 000008
【図７】
0003197234.tif 000009
【図８】
0003197234.tif 000010
【図９】
0003197234.tif 000011